(57)【要約】      （修正有）【課題】足裏の指圧つぼを確実に押圧してマッサージを行うことができる足裏マッサージ器を提供する。【解決手段】マッサージを受ける施療者の踵部分から足裏部分を被服保持部１で被覆し、この被服保持部１の足裏部分に形成される袋部２内に球体３を収納するようにしている。フート部１３及び膨出部１４に連続して口ゴム部１５を丸編みにより編み立てる。この口ゴム部１５は編成法部分を全周に亘って折り曲げて全周を縫製により袋編状に形成される。被覆保持部１を形成した後に、膨出部１４及び口ゴム部１５を内側に折り曲げ、この折り曲げた状態で縫製部２１，２２を縫製して袋部２を形成する。この袋部２の開放端部より球体３を挿入して足裏マッサージ器を完成させることができる。この球体３を足裏部分に常に接触させることができることとなり、足裏の指圧つぼを確実に押圧してマッサージを行うことができる。【選択図】図１
0003119214.tif 000002
【実用新案登録請求の範囲】
【請求項１】
マッサージを受ける施療者の踵部分から足裏部分を少なくとも被覆する被服保持部と、
当該被服保持部の足裏部分に形成される袋部と、
当該袋部内に収納される球体とを備えることを
特徴とする足裏マッサージ器。
【請求項２】
前記請求項１に記載の足裏マッサージ器において、
前記被覆保持部が口ゴム編成とヒール編成とフート編成とヒール編成と口ゴム編成とを順次連続して編成して形成し、
前記袋部が、前記ヒール編成及び口ゴム編成を内側に折り畳み、当該折り畳んだ中央近傍を袋状に縫製して形成されることを
特徴とする足裏マッサージ器。
【請求項３】
前記請求項１又は２に記載の足裏マッサージ器において、
前記被覆保持部が、丸編により編成されることを
特徴とする足裏マッサージ器。
【請求項４】
前記請求項１ないし３のいずれかに記載の足裏マッサージ器において、
前記球体が、表面の全面に複数の突起部が形成されることを
特徴とする足裏マッサージ器。
【考案の詳細な説明】
【技術分野】
【０００１】
本考案は、足裏のマッサージに関し、特に指圧つぼを確実に押圧してマッサージを行うこと足裏マッサージ器に関する。
【背景技術】
【０００２】
従来、この種の足裏マッサージ器は、特開平１１−２３９５９４号公報、特開２００２−１１９５６３号公報及び特開２００５−２１８８３１号公報に開示されるものがあった。これらに開示される従来の足裏マッサージ器は、ゴルフボール状の球体を回動自在に台座等で支持し、この台座等を床面に載置して施療者が足裏を前記球状体に押圧することにより使用されていた。
【特許文献１】特開平１１−２３９５９４号公報
【特許文献２】特開２００２−１１９５６３号公報
【特許文献３】特開２００５−２１８８３１号公報  このように床面に載置された台座等で球体を回動自在に支持することにより、施療者の近傍から球体が離れてしまうことを防止することができる。
【考案の開示】
【考案が解決しようとする課題】
【０００３】
前記各背景技術は以上のように構成されていたことから、施療者が球体の位置を常に確認しつつこの球体に足裏を押圧しなければならず、施療者の足裏面から球体が離脱するという課題を有していた。特に、施療者の足とマッサージ器とが分離して形成されていることから、足裏の指圧つぼに確実にマッサージの施療を行うことができないという課題を有する。
【０００４】
本考案は、前記課題を解消するためになされたもので、足裏の指圧つぼを確実に押圧してマッサージを行うことができる足裏マッサージ器を提供することを目的とする。
【課題を解決するための手段】
【０００５】
本考案に係る足裏マッサージ器は、マッサージを受ける施療者の踵部分から足裏部分を少なくとも被覆する被服保持部と、当該被服保持部の足裏部分に形成される袋部と、
当該袋部内に収納される球体とを備えるものである。
【０００６】
このように本考案においては、マッサージを受ける施療者の踵部分から足裏部分を被服保持部で被覆し、この被服保持部の足裏部分に形成される袋部内に球体を収納するようにしているので、この球体を足裏部分に常に接触させることができることとなり、足裏の指圧つぼを確実に押圧してマッサージを行うことができるという効果を有する。
【０００７】
また、本考案に係る足裏マッサージ器は必要に応じて、被覆保持部が口ゴム編成とヒール編成とフート編成とヒール編成と口ゴム編成とを順次連続して編成して形成し、前記袋部が、前記ヒール編成及び口ゴム編成を内側に折り畳み、当該折り畳んだ中央近傍を袋状に縫製して形成されるものである。
【０００８】
このように本考案においては、被覆保持部が口ゴム編成とヒール編成とフート編成とヒール編成と口ゴム編成とを順次連続して編成して形成し、前記袋部が、前記ヒール編成及び口ゴム編成を内側に折り畳み、当該折り畳んだ中央近傍を袋状に縫製して形成されることから、編成による伸縮性を有する編地で施療者の足全体を的確に被覆保持できることとなり、足裏の指圧つぼを確実に押圧してマッサージを行うことができるという効果を有する。
【０００９】
また、本考案に係る足裏マッサージ器は必要に応じて、被覆保持部が、丸編により編成されるものである。
このように本考案においては、被覆保持部を丸編で編成することにより、施療者の足部分に適合する立体構造とすることができることとなり、足全体をサポートした状態で足裏のマッサージを的確に行えることとなる。
【００１０】
また、本考案に係る足裏マッサージ器は必要に応じて、球体が、表面の全面に複数の突起部が形成されるものである。
このように本考案においては、被覆保持部の袋部に収納される球体の表面を全面に亘って突起部を配設するようにしたので、施療者の足裏へのマッサージ効果を向上させることができる。
【考案を実施するための最良の形態】
【００１１】
（本考案の第１の実施形態）
以下、本考案の第１の実施形態に係る足裏マッサージ器を図１ないし図３に基づいて説明する。この図１は本実施形態に係る足裏マッサージ器の施療状態説明図、図２は図１に記載の足裏マッサージ器の形成動作説明図、図３は本実施形態に係る足裏マッサージ器の球体収納状態説明図である。
【００１２】
前記各図において本実施形態に係る足裏マッサージ器は、爪先部分が開放されて施療者の踵部分及び足裏部分を被覆して保持する被覆保持部１と、この被覆保持部１の先端足裏部分に形成される袋部２と、この袋部２内に収納される球体３とを備える構成である。前記被覆保持部１が口ゴム部１１、ヒール部１２、フート部１３、膨出部１４及び口ゴム部１５を丸編みで順次編成して構成される。
【００１３】
この口ゴム部１１は、伸縮性をもたせるために地糸の中にゴム糸を挿入することもでき、編地を一重又は二重（袋編）とすることができる。この二重の編地で口ゴム部１１を形成された場合には、メークアップ装置で編成されるダブルウエルトに相当する。
また、口ゴム部１５は、口ゴム部１１と同様に伸縮性をもたせて編成され、この編成終端部分のルーズ・コース（Loose Course）をダイヤル・リンキング機の目差し等で縫製することにより形成される。
【００１４】
前記袋部２は、被覆保持部１の膨出部１４を内側に折り曲げた状態で所定間隔をおいて二箇所を略平行な縫製部２１、２２によって形成される。この縫製部２１、２２により折り曲げられた膨出部１４で袋状に形成され、この袋状の開口部が口ゴム部１５の一部で形成されると共に、袋状の内部が膨出した膨出部１４の一部でドーム状に形成されることとなる。このように袋部２が開口部を備えてこの開口部から球体３を挿通して収納していることから、球体３を取出自在に収納できることとなり、被覆保持部１の汚れ等で洗濯が必要な場合に球体３を袋部２から取出して被覆保持部１のみを洗濯等のクリーニングが可能となる。
前記球体３は、表面全体に複数の突起部を有してなり、素材を若干の弾力性を有する合成樹脂等で形成することもできる。
【００１５】
次に前記構成に基づく本実施形態に係る足裏マッサージ器の製作動作及び施療動作について説明する。まず、製作動作については、靴下のトップ部分とする口ゴム部１１をダブルウェルト（袋編）に編立ててメークアップ編成を行う。このメークアップ編成後にゴム糸を挿入した編地で口ゴム部１１を形成し、この口ゴム部１１に連続してレッグ部１６を極めて少ないコース数の筒編で編立てる。このレッグ部１６からフート部１３へ筒編に編立てる途中において、この筒編の一方に袋状の編地を形成してヒール部１２を形成する。このヒール部１２を形成した後は、前記レッグ部１６と同様に筒編によりフート部１３を形成する。
【００１６】
このフート部１３を筒編に編立てる途中において、この筒編の一方に袋状の編地を形成して膨出部１４を構成する。この膨出部１４は、筒編の前記ヒール部１２が形成される側面と同一の一側にヒール部１２とほぼ同一な袋状の編地で形成される。
このフート部１３及び膨出部１４に連続して口ゴム部１５を丸編みにより編立てる。この口ゴム部１５は編成法部分を全周に亘って折り曲げて全周を縫製により袋編状に形成される。
このようにして被覆保持部１を形成した後に、膨出部１４及び口ゴム部１５を内側に折り曲げ、この折り曲げた状態で縫製部２１、２２を縫製して袋部２を形成する。この袋部２の開放端部より球体３を挿入して足裏マッサージ器を完成させることができる。
【００１７】
次に、施療動作については、この足裏マッサージ器の被覆保持部１を施療者の足に靴下を履く要領で装着し、この装着した状態で足裏を床面に押圧又は押圧・摺動させることにより、足裏球体が押圧されてマッサージ効果が得られることとなる。
【図面の簡単な説明】
【００１８】
【図１】本考案の第１の実施形態に係る足裏マッサージ器の施療状態説明図である。
【図２】図１に記載の足裏マッサージ器の形成動作説明図である。
【図３】本考案の第１の実施形態に係る足裏マッサージ器の球体収納状態説明図である。
【符号の説明】
【００１９】
１      被覆保持部
１１、１５  口ゴム部
１２    ヒール部
１３    フート部
１４    膨出部
１６    レッグ部
２      袋部
３      球体
【図１】
0003119214.tif 000003
【図２】
0003119214.tif 000004
【図３】
0003119214.tif 000005